【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
ポリアルキル（メタ）アクリレートポリマーであって、
（ａ）０質量％〜８質量％のメチル（メタ）アクリレート；
（ｂ）１．５質量％〜４．５質量％のヒドロキシル置換Ｃ１〜４アルキル（メタ）アクリレート；および
（ｃ）８７．５質量％〜９８．５質量％のＣ６〜３０アルキル（メタ）アクリレートを含み、ここで、
前記ポリアルキル（メタ）アクリレートポリマーは、３００００〜１３００００ｇ／ｍｏｌの範囲内の質量平均分子量Ｍｗを有する、前記ポリアルキル（メタ）アクリレートポリマー。
【請求項２】
（ａ）２質量％〜８質量％のメチル（メタ）アクリレート；
（ｂ）１．９質量％〜４．０質量％のヒドロキシル置換Ｃ１〜４アルキル（メタ）アクリレート；および
（ｃ）８８．０質量％〜９６．１質量％のＣ６〜３０アルキル（メタ）アクリレート
を含む、請求項１に記載のポリアルキル（メタ）アクリレートポリマー。
【請求項３】
前記ヒドロキシル置換Ｃ１〜４アルキル（メタ）アクリレートが、ヒドロキシエチルメタクリレート（ＨＥＭＡ）またはヒドロキシプロピル（メタ）アクリレート（ＨＰＭＡ）であることを特徴とする、請求項１または２に記載のポリアルキル（メタ）アクリレートポリマー。
【請求項４】
成分（ｃ）が、Ｃ１２〜１８アルキル（メタ）アクリレートを含むことを特徴とする、請求項１〜３のいずれか１項に記載のポリアルキル（メタ）アクリレートポリマー。
【請求項５】
４００００〜９５０００ｇ／ｍｏｌの範囲内の質量平均分子量Ｍｗを有することを特徴とする、請求項１〜４のいずれか１項に記載のポリアルキル（メタ）アクリレートポリマー。
【請求項６】
添加剤組成物であって、
（Ａ）ＡＰＩグループＩＩ油およびＡＰＩグループＩＩＩ油およびそれらの混合物からなる群から選択される、無極性基油、および
（Ｂ）ポリアルキル（メタ）アクリレートポリマーを含み、前記ポリアルキル（メタ）アクリレートポリマーは、
（ａ）０質量％〜８質量％のメチル（メタ）アクリレート；
（ｂ）１．５質量％〜４．５質量％のヒドロキシル置換Ｃ１〜４アルキル（メタ）アクリレート；および
（ｃ）８７．５質量％〜９８．５質量％のＣ６〜３０アルキル（メタ）アクリレートを含み、
ここで、前記ポリアルキル（メタ）アクリレートポリマーが、３００００〜１３００００ｇ／ｍｏｌの範囲内の質量平均分子量Ｍｗを有する、
前記添加剤組成物。
【請求項７】
前記ポリアルキル（メタ）アクリレートポリマー（Ｂ）が、
（ａ）２質量％〜８質量％のメチル（メタ）アクリレート；
（ｂ）１．９質量％〜４．０質量％のヒドロキシル置換Ｃ１〜４アルキル（メタ）アクリレート；および
（ｃ）８８．０質量％〜９６．１質量％のＣ６〜３０アルキル（メタ）アクリレート
を含む、請求項６に記載の添加剤組成物。
【請求項８】
前記組成物の全質量を基準として、成分（Ａ）が、２０質量％〜４５質量％の量で存在し、かつ前記ポリアルキル（メタ）アクリレートポリマー（Ｂ）が、５５質量％〜８０質量％の量で存在する、請求項６または７に記載の添加剤組成物。
【請求項９】
前記組成物の全質量を基準として、成分（Ａ）が、２５質量％〜４０質量％の量で存在し、かつ前記ポリアルキル（メタ）アクリレートポリマー（Ｂ）が、６０質量％〜７５質量％の量で存在する、請求項６または７に記載の添加剤組成物。
【請求項１０】
成分（ｂ）の前記ヒドロキシル置換Ｃ１〜４アルキル（メタ）アクリレートが、ヒドロキシエチルメタクリレート（ＨＥＭＡ）またはヒドロキシプロピル（メタ）アクリレート（ＨＰＭＡ）であることを特徴とする、請求項６〜９のいずれか１項に記載の添加剤組成物。
【請求項１１】
潤滑油組成物であって、
（Ａ）ＡＰＩグループＩＩ油およびＡＰＩグループＩＩＩ油およびそれらの混合物からなる群から選択される、無極性基油８４質量％〜９７質量％；
（Ｂ）次のものを含む、ポリアルキル（メタ）アクリレートポリマー３質量％〜１６質量％：
（ａ）０質量％〜８質量％のメチル（メタ）アクリレート；
（ｂ）１．５質量％〜４．５質量％のヒドロキシル置換Ｃ１〜４アルキル（メタ）アクリレート；および
（ｃ）８７．５質量％〜９８．５質量％のＣ６〜３０アルキル（メタ）アクリレート、
ここで、前記ポリアルキル（メタ）アクリレートポリマーは、３００００〜１３００００ｇ／ｍｏｌの範囲内の質量平均分子量Ｍｗを有する；および
（Ｃ）任意に１種以上のさらなる添加剤
を含む、前記潤滑油組成物。
【請求項１２】
前記ポリアルキル（メタ）アクリレートポリマー（Ｂ）が、
（ａ）２質量％〜８質量％のメチル（メタ）アクリレート；
（ｂ）１．９質量％〜４．０質量％のヒドロキシル置換Ｃ１〜４アルキル（メタ）アクリレート；および
（ｃ）８８．０質量％〜９６．１質量％のＣ６〜３０アルキル（メタ）アクリレート
を含む、請求項１１に記載の潤滑油組成物。
【請求項１３】
成分（ｂ）の前記ヒドロキシル置換Ｃ１〜４アルキル（メタ）アクリレートが、ヒドロキシエチルメタクリレート（ＨＥＭＡ）またはヒドロキシプロピル（メタ）アクリレート（ＨＰＭＡ）であることを特徴とする、請求項１１または１２に記載の潤滑油組成物。
【請求項１４】
前記の１種以上のさらなる添加剤（Ｃ）が、流動点降下剤、分散剤、消泡剤、清浄剤、抗乳化剤、酸化防止剤、耐摩耗添加剤、極圧添加剤、摩擦調整剤、腐食防止剤、色素およびそれらの混合物からなる群から選択されることを特徴とする、請求項１１〜１３のいずれか１項に記載の潤滑油組成物。
【請求項１５】
無極性基油をベースとする高ＶＩ潤滑油組成物の抗乳化性能を同時に向上させる粘度指数（ＶＩ）向上剤としての、請求項１〜５のいずれか１項に記載のポリアルキル（メタ）アクリレートポリマーの使用。
【請求項１６】
請求項１〜５のいずれか１項に記載のポリアルキル（メタ）アクリレートポリマーを適用することによって、無極性基油をベースとする潤滑油組成物のＶＩおよび抗乳化性能を向上させる方法。
【請求項１７】
無極性基油をベースとする高ＶＩ潤滑油組成物の抗乳化性能を同時に向上させる粘度指数（ＶＩ）向上剤としての、請求項６〜１０のいずれか１項に記載の添加剤組成物の使用。
【請求項１８】
請求項６〜１０のいずれか１項に記載の添加剤組成物を適用することによって、無極性基油をベースとする潤滑油組成物のＶＩおよび抗乳化性能を向上させる方法。
【手続補正２】
【補正対象書類名】明細書
【補正対象項目名】００２２
【補正方法】変更
【補正の内容】
【００２２】
したがって、本発明の第一の対象は、ポリアルキル（メタ）アクリレートポリマーに関し、該ポリアルキル（メタ）アクリレートポリマーは、
（ａ）０質量％〜１０質量％、好ましくは０質量％〜８質量％、およびより好ましくは２質量％〜８質量％のメチル（メタ）アクリレート；
（ｂ）１．５質量％〜４．５質量％、好ましくは１．９質量％〜４．０質量％の、ヒドロキシル置換Ｃ２〜４アルキル（メタ）アクリレート、好ましくはヒドロキシエチル（メタ）アクリレート（ＨＥＭＡ）またはヒドロキシプロピル（メタ）アクリレート（ＨＰＭＡ）、より好ましくはヒドロキシエチルメタクリレート（ＨＥＭＡ）；および
（ｃ）８５．５質量％〜９８．５質量％、好ましくは８７．５質量％〜９８．５質量％、およびより好ましくは８８．０質量％〜９６．１質量％の、Ｃ６〜３０アルキル（メタ）アクリレート、好ましくはＣ１２〜１８アルキル（メタ）アクリレートを含み、ここで、
該ポリアルキル（メタ）アクリレートポリマーの質量平均分子量Ｍｗは、３００００〜１３００００ｇ／ｍｏｌの範囲内である。